【手続補正書】
【提出日】平成18年2月8日(2006.2.8)
【手続補正１】
【補正対象書類名】特許請求の範囲
【補正対象項目名】全文
【補正方法】変更
【補正の内容】
【特許請求の範囲】
【請求項１】
デジタル画像の解像度を変換する画像処理装置であって、
互いに異なる内容を有する複数の画像データを記憶する第１の記憶部と、
該第１の記憶部に記憶された該複数の画像データの中から第１の解像度で第１の画像を表す第１の画像データを取得する取得部と、
該取得された該第１の画像データを補間することにより、該第１の解像度とは異なる第２の解像度で第２の画像を表す第２の画像データを生成する制御部と、
複数の補間テーブルを記憶する第２の記憶部であって、該複数の補間テーブルのそれぞれは、該第２の画像に含まれる複数の補間画素のそれぞれの位置に対応した補間方法を選択するための補間情報を保持しており、該複数の補間テーブルは、該第１の記憶部に記憶された該複数の画像データのうちの少なくとも１つの画像データに対応付けられており、該複数の補間テーブルによって保持されるそれぞれの補間情報は互いに異なる、第２の記憶部と
を備え、
該制御部は、該第２の記憶部に記憶された該複数の補間テーブルのうち該第１の画像データに対応した補間テーブルを選択し、該選択された補間テーブルを参照することにより、該第２の画像に含まれる該複数の補間画素のそれぞれの位置に対応した補間情報を取得し、
該制御部は、該取得された補間情報に従って選択された補間方法に基づいて該複数の補間画素のそれぞれの輝度値を決定する、画像処理装置。
【請求項２】
前記制御部は、前記補間テーブルの少なくとも一部を修正する補間テーブル修正部を含む、請求項１に記載の画像処理装置。
【請求項３】
前記制御部は、前記第１の画像データの前記第１の解像度および前記第２の画像データの前記第２の解像度に基づいて、前記複数の補間テーブルのうちの１つを選択する、請求項１に記載の画像処理装置。
【請求項４】
前記補間テーブルは、前記第２の画像に含まれる前記複数の補間画素のそれぞれの水平位置に対応した補間方法を示す補間情報を保持した第１の補間テーブルと、前記第２の画像に含まれる前記複数の補間画素のそれぞれの垂直位置に対応した補間方法を示す補間情報を保持した第２の補間テーブルとを含む、請求項１に記載の画像処理装置。
【請求項５】
前記補間情報は、前記複数の補間画素のそれぞれの輝度値を導出するための補間式の種別と、前記第１の画像に含まれる複数の画素のうち該補間式によって参照される少なくとも１つの画像の位置とを含む、請求項１または４に記載の画像処理装置。
【請求項６】
前記制御部は、前記複数の補間画素のそれぞれについて、赤成分の輝度値、緑成分の輝度値および青成分の輝度値を決定する、請求項１に記載の画像処理装置。
【請求項７】
前記補間式は、前記第１の画像に含まれる少なくとも二つの画素の輝度平均値、または、該第１の画像に含まれる一つの画素の輝度値を表す、請求項５記載の画像処理装置。
【請求項８】
前記補間テーブルは、変換解像度にさらに対応付けられている、請求項１に記載の画像処理装置。
【請求項９】
前記補間式は、各画素に隣接する画素の輝度値を各画素に反映させるための式であって、該各画素の特徴を表わす式として定義されている、請求項５または７に記載の画像処理装置。
【請求項１０】
前記第１の補間テーブルは、複数の異なる水平補間テーブルを含み、該複数の水平補間テーブルのそれぞれは、前記第１の画像データの水平解像度と前記第２の画像データの水平解像度との組み合わせに対応するように定義されており、
前記第２の補間テーブルは、複数の異なる垂直補間テーブルを含み、該複数の垂直補間テーブルのそれぞれは、前記第１の画像データの垂直解像度と前記第２の画像データの垂直解像度との組み合わせに対応するように定義されている、請求項４に記載の画像処理装置。
【請求項１１】
前記補間テーブル修正部は、前記第１の画像が輪郭線を有する文字を含み、かつ、該文字の輪郭線全体の線幅が所定の範囲外である場合に、該文字の輪郭線全体の線幅が該所定の範囲内になるように前記補間テーブルの少なくとも一部を修正する、請求項２に記載の画像処理装置。
【請求項１２】
前記補間テーブル修正部は、前記第１の画像が斜線または曲線を含み、かつ、前記第２の画像が該斜線または曲線に対応する部分を含み、かつ、該第２の画像中の該部分のがたつきが所定値以上である場合に、該第２の画像中の該部分のがたつきが該所定値内になるように前記補間テーブルの少なくとも一部を修正する、請求項２に記載の画像処理装置。
【請求項１３】
前記補間テーブル修正部は、前記第１の画像が同一の形状の複数の部分を含み、かつ、前記第２の画像が該同一の形状の複数の部分に対応する複数の部分を含む場合に、該第２の画像中の該複数の部分が同一の形状を有するように前記補間テーブルの少なくとも一部を修正する、請求項２に記載の画像処理装置。
【請求項１４】
デジタル画像の解像度を変換する画像処理装置であって、
該デジタル画像毎にあらかじめ用意された補間テーブルに従って、該デジタル画像の解像度を変換した後の画像に含まれる複数の補間画素のそれぞれの位置に対応した補間方法を取得する補間方法取得部と、
該複数の補間画素のそれぞれの位置に対応した補間方法を用いて、該複数の補間画素のそれぞれの輝度値を決定する輝度値決定部と
を備えた、画像処理装置。
【請求項１５】
前記補間方法取得部は、
前記デジタル画像を表す原画像データに対応した補間テーブル指定情報を取得する部分と、
該デジタル画像の解像度を変換した後の画像の水平解像度および垂直解像度と該補間テーブル指定情報とに従って、水平補間テーブルおよび垂直補間テーブルを前記補間テーブルとして取得する部分と、
該取得された水平補間テーブルを参照して、前記複数の補間画素のそれぞれの位置に対応した補間方法を取得する部分と、
該取得された垂直補間テーブルを参照して、前記複数の補間画素のそれぞれの位置に対応した補間方法を取得する部分と
を含む、請求項１４に記載の画像処理装置。
【請求項１６】
前記輝度値決定部は、
前記水平補間テーブルから取得された補間方法を用いて、水平解像度変換画像を生成する水平解像度変換画像生成部と、
前記垂直補間テーブルから取得された補間方法を用いて、垂直解像度変換画像を生成する垂直解像度変換画像生成部と
を含み、
該水平解像度変換画像生成部、前記原画像データから該水平解像度変換画像を生成し、その後、該垂直解像度変換画像生成部が、該水平解像度変換画像から該垂直解像度変換画像を生成するか、または、
該垂直解像度変換画像生成部が、該原画像データから該垂直解像度変換画像を生成し、その後、該水平解像度変換画像生成部が、該垂直解像度変換画像から該水平解像度変換画像を生成するか、のいずれかである、請求項１５に記載の画像処理装置。
【請求項１７】
前記水平解像度変換画像生成部は、
前記水平補間テーブルを参照して、前記補間画素のＸ座標値に対応した前記デジタル画像の参照画素のＸ座標値および補間式番号を取得する部分と、
該補間式番号に対応した補間式に該参照画素のＸ座標値を代入して、該補間画素の輝度値を求める部分と
を含む、請求項１６に記載の画像処理装置。
【請求項１８】
前記垂直解像度変換画像生成部は、
前記垂直補間テーブルを参照して、前記補間画素のＹ座標値に対応した前記デジタル画像の参照画素のＹ座標値および補間式番号を取得する部分と、
該補間式番号に対応した補間式に該参照画素のＹ座標値を代入して、該補間画素の輝度値を求める部分と
を含む、請求項１６に記載の画像処理装置。
【請求項１９】
デジタル画像の解像度を変換する画像処理方法をコンピュータに実行させるための画像処理プログラムであって、
ａ）該デジタル画像毎にあらかじめ用意された補間テーブルに従って、該デジタル画像の解像度を変換した後の画像に含まれる複数の補間画素のそれぞれの位置に対応した補間方法を取得するステップと、
ｂ）該複数の補間画素のそれぞれの位置に対応した補間方法を用いて、該複数の補間画素のそれぞれの輝度値を決定するステップと
を包含する、画像処理プログラム。
【請求項２０】
前記ステップａ）は、
前記デジタル画像を表す原画像データに対応した補間テーブル指定情報を取得するステップと、
該デジタル画像の解像度を変換した後の画像の水平解像度および垂直解像度と該補間テーブル指定情報とに従って、水平補間テーブルおよび垂直補間テーブルを前記補間テーブルとして取得するステップと、
該取得された水平補間テーブルを参照して、前記複数の補間画素のそれぞれの位置に対応した補間方法を取得するステップと、
該取得された垂直補間テーブルを参照して、前記複数の補間画素のそれぞれの位置に対応した補間方法を取得するステップと
を包含する、請求項１９に記載の画像処理プログラム。
【請求項２１】
前記ステップｂ）は、
前記水平補間テーブルから取得された補間方法を用いて、水平解像度変換画像を生成するステップと、
前記垂直補間テーブルから取得された補間方法を用いて、垂直解像度変換画像を生成するステップと
を包含し、
前記原画像データから該水平解像度変換画像が生成された後、該水平解像度変換画像から該垂直解像度変換画像が生成されるか、または、
該原画像データから該垂直解像度変換画像が生成された後、該垂直解像度変換画像から該水平解像度変換画像が生成されるか、のいずれかである、請求項１９に記載の画像処理プログラム。
【請求項２２】
前記補間テーブルの少なくとも一部を修正するステップをさらに包含する、請求項１９に記載の画像処理プログラム。
【請求項２３】
請求項１９〜２２のいずれかに記載の画像処理プログラムが記録されたコンピュータ読み取り可能な記録媒体。